(57)【要約】【課題】機器認証が完了できない場合に、少なくとも機器認証が完了できない旨の情報を音声又は画像により出力する。【解決手段】路側無線装置と無線通信を行うことにより音声又は画像の情報を受信し、当該受信した音声又は画像の情報を機器認証完了後に出力する車載器１０において、前記機器認証を完了したか否かを判断し、完了することができないと判断した場合、少なくとも機器認証が完了できない旨の情報を音声又は画像により出力する制御部３を備えた車載器１０とする。【選択図】図１
2010107200.tif 000002
【特許請求の範囲】
【請求項１】
路側無線装置と無線通信を行うことにより音声又は画像の情報を受信し、当該受信した音声又は画像の情報を機器認証完了後に出力する車載器において、
前記機器認証を完了したか否かを判断し、完了することができないと判断した場合、少なくとも前記機器認証が完了できない旨の情報を出力する制御部を備えた車載器。
【請求項２】
前記制御部は、前記機器認証を完了することができないと判断した場合、前記機器認証が完了できない旨の情報とともに、前記路側無線装置から受信した音声又は画像の情報を出力するか否かの確認の情報を出力する請求項１に記載の車載器。
【請求項３】
前記制御部は、前記機器認証を予め定められた回数又は予め定められた時間内に繰り返し行った後も完了することが出来なかった場合、前記機器認証を完了することができないと判断する請求項１又は２に記載の車載器。 
【発明の詳細な説明】
【技術分野】
【０００１】
本発明は、車載器に関する。
【背景技術】
【０００２】
近年、ＤＳＲＣ（Dedicated Short Range Communication）機能を有する車載器が普及しており、ＤＳＲＣによる各種サービスの提供について検討されている。車載器は、道路上や駐車場等に予め設置されている路側無線装置と狭域無線通信を行い、地域に密着した情報や各種サービスの提供（以下、コンテンツという）を受けることが可能となる。
【０００３】
車載器は、路側無線装置からコンテンツを受ける際に、路側無線装置と機器認証を行う必要がある。機器認証が行われることによりセキュリティが確保され、ユーザは安全で有益な情報を得ることができる。
機器認証は、今日まで様々な用途において用いられている。
【０００４】
例えば、特許文献１の車載器によれば、ユーザが保有する携帯機と機器認証を行い、機器認証完了後に各種制御を行う技術が開示されている。
【特許文献１】特開２００７−９１０７０号公報
【発明の開示】
【発明が解決しようとする課題】
【０００５】
本来、機器認証が完了した後に路側無線装置からコンテンツを受けることが望ましい。しかし、電波障害や機器の故障等の不具合により、車載器と路側無線装置との間で機器認証を完了することができない場合がある。
【０００６】
機器認証を完了することができない場合、車載器は路側無線装置からのコンテンツを音声又は画像により出力することはなく、機器認証が完了できない旨の通知すらも行わない。よって、ユーザは路側無線装置からのコンテンツを受けることができるのか否か不明なまま立ち往生してしまうことになる。
仮に、駐車場の入場時や退場時に機器認証が完了されず立ち往生してしまうと、駐車場の出入り口付近が渋滞となってしまう。
【０００７】
本発明の課題は、機器認証が完了できない場合に、少なくとも機器認証が完了できない旨の情報を出力し得る車載器を提供することである。
【課題を解決するための手段】
【０００８】
本発明によれば、
路側無線装置と無線通信を行うことにより音声又は画像の情報を受信し、当該受信した音声又は画像の情報を機器認証完了後に出力する車載器において、
前記機器認証を完了したか否かを判断し、完了することができないと判断した場合、少なくとも前記機器認証が完了できない旨の情報を出力する制御部、
を備えた車載器が提供される。
【発明の効果】
【０００９】
本発明によれば、機器認証が完了できない場合、完了できない旨の情報が音声や画像等により出力される。よって、ユーザは路側無線装置からの各種サービスを受けることができるのか否か立ち往生することもなく、各種サービスを受けられない場合の対応を迅速に行うことができる。
【発明を実施するための最良の形態】
【００１０】
図１に、本実施形態における車載器１０の構成を示す。
車載器１０は、カーナビ部１、ＤＳＲＣ部２、制御部３等を備えて構成される。
【００１１】
カーナビ部１は、カーナビ制御部１ａ、現在地検出部１ｂ、地図記憶部１ｃ、入力部１ｄ、表示部１ｅ、ナビ記憶部１ｆ、音声出力部１ｇ等を備えて構成される。
カーナビ部１は、車載器１０を搭載した車両の現在地から目的地までの経路を算出し、算出した経路に従って車両を目的地へ誘導する。
【００１２】
カーナビ制御部１ａは、カーナビ部１が備える各部を集中制御し、目的地までの経路算出や目的地までの地図画面の生成等を行う。
【００１３】
現在地検出部１ｂは、ＧＰＳアンテナ及び角度センサ、方位センサ、距離センサ等の各種センサを備える。現在地検出部１ｂは、ＧＰＳアンテナ及び各種センサによる検出結果に基づいて車両の現在地を検出する。
【００１４】
地図記憶部１ｃは、メモリやＤＶＤ等の記録媒体から構成され、案内表示に必要な地図ＤＢ、駐車場ＤＢ等を記憶する。
【００１５】
入力部１ｄは、操作キーや表示部１ｅのモニタと一体に構成されるタッチパネル等から構成される。
【００１６】
表示部１ｅは、モニタ及び／又はタッチパネルにより構成され、カーナビ制御部１ａからの表示信号に従って各種情報を表示する処理を行う。例えば、表示部１ｅは、設定画面や地図画面等を表示する。
【００１７】
ナビ記憶部１ｆは、プログラムやデータ等が予め記憶されている記録媒体を備えて構成され、カーナビ制御部１ａにより実行される制御プログラム及びプログラムの実行に必要なパラメータ等を記憶する。
【００１８】
音声出力部１ｇは、音声処理部、Ｄ／Ａ変換器、増幅器、スピーカ等を備えて構成される。音声出力部１ｇは、制御部３又はカーナビ制御部１ａから指示された音声合成記号から音声信号を生成し、スピーカにより音声出力する。
【００１９】
ＤＳＲＣ部２は、ＤＳＲＣ制御部２ａ、ＤＳＲＣ通信部２ｂ、ＤＳＲＣ記憶部２ｃ、ＥＴＣ処理部２ｄ、カード挿入部２ｅを備えて構成されており、ＤＳＲＣによる無線通信処理等を行う。
【００２０】
ＤＳＲＣ制御部２ａは、ＣＰＵ、ＲＡＭ等から構成され、ＤＳＲＣ記憶部２ｃに記憶されている制御プログラムとの協働によりＤＳＲＣ部２の各部の動作を制御する。
また、ＤＳＲＣ制御部２ａは、ＩＣクレジットカードによる決済を行う際、ＤＳＲＣ通信部２ｂを制御して路側無線装置と決済情報の送受信を行う。
【００２１】
ＤＳＲＣ通信部２ｂは、車両のダッシュボード上でフロントガラス近傍に固設されたアンテナを備える。ＤＳＲＣ通信部２ｂは、アンテナを介して路側無線装置やＥＴＣ基地局等とＤＳＲＣによる無線通信を行う。
【００２２】
ＤＳＲＣ記憶部２ｃは、ＤＳＲＣ制御部２ａにより実行される制御プログラム等を記憶する。
【００２３】
ＥＴＣ処理部２ｄは、カード挿入部２ｅに挿入されるＩＣチップが埋め込まれたＩＣクレジットカードやＥＴＣカード等に対して決済情報等の読み書きを行う。
【００２４】
カード挿入部２ｅは、ＥＴＣカード等のスロットを備え、このスロットに挿入されたＥＴＣカード等のＩＣとＥＴＣ処理部２ｄとの間で情報のやりとりを仲介する。
【００２５】
制御部３は、ＣＰＵ（Central Processing Unit）、ＲＡＭ（Random Access Memory）等を備えて構成される。制御部３は、ナビ記憶部１ｆに記憶された制御プログラムとの協働により各種演算を行う他、各部の集中制御を行う。
【００２６】
図２を参照して、駐車場入場時の機器認証を伴うＤＳＲＣ通信処理について説明する。
なお、図２のフローは、車両が駐車場に入場する際、車載器１０の制御部３により行われる処理である。また、駐車場の出入り口付近には路側無線装置が予め設置されており、路側無線装置はＤＳＲＣにより各種サービス情報（以下、「コンテンツ」という）を車載器に送信することが可能である。
【００２７】
制御部３は、車両が路側無線装置とＤＳＲＣ通信可能な領域内に進入すると、機器認証を開始するとともに、コンテンツを受信する（ステップＳ１）。
ステップＳ１で受信するコンテンツには、例えばＷｅｌｃｏｍ画面の情報、駐車場の利用特典、広告、料金案内の情報等、必要最小限の情報が含まれる。
なお、本実施形態における機器認証及びコンテンツの受信は、「ＩＴＳ_ＦＯＲＵＭ_ＲＣ−４００」により規定されているＤＳＲＣ−ＳＰＦ（Security PlatForum）の構造に基づいて行われる。
【００２８】
制御部３は、機器認証が完了したか否か判断する（ステップＳ２）。
機器認証が完了した場合（ステップＳ２；Ｙ）、制御部３は、挿入されているＩＣクレジットカードの固有の情報を路側無線装置に送信する（ステップＳ３）。
路側無線装置を介してコンテンツを配信する配信事業者がＩＣクレジットカードの固有の情報を不要とする場合、制御部３は、ステップＳ３の処理を行わずにステップＳ４に移行する。
【００２９】
制御部３は、機器認証を開始するとともに受信したコンテンツ及び配信されるコンテンツを音声又は画像により出力して（ステップＳ４）、ＤＳＲＣ通信処理を終了する。
ステップＳ４の「配信されるコンテンツ」は、ステップＳ１で受信したコンテンツから遷移したコンテンツであって、例えばＷｅｌｃｏｍ画面の情報から遷移した施設案内の情報等である。機器認証完了後に配信されるコンテンツは、ユーザにとって有益で安全性が確保された情報である。
【００３０】
ステップＳ２に戻り、機器認証が完了しなかった場合（ステップＳ２；Ｎ）、制御部３は、規定回数だけ機器認証をリトライしたか否か判断する（ステップＳ５）。
規定回数だけリトライしていない場合（ステップＳ５；Ｎ）、制御部３は、ステップＳ１に戻り、再度機器認証を開始する。
ステップＳ５では、規定回数だけリトライするとしたが、規定時間内に繰り返しリトライするとしてもよい。
【００３１】
規定回数だけリトライしていた場合（ステップＳ５；Ｙ）、制御部３は、機器認証ができない旨の情報を音声又は画像により出力する（ステップＳ６）。
例えば、制御部３は「ＤＳＲＣ通信ができないため、ＤＳＲＣを利用したサービスがご利用になれません。発売機から駐車場の入場券をおとり下さい。」との音声又は画像の情報を音声出力部１ｇ又は表示部１ｅにより出力する。
【００３２】
制御部３は、ステップＳ１で受信したコンテンツを出力するか否かについて、確認の情報を音声又は画像により出力する。そして、制御部３は、受信したコンテンツを出力する指示があるか否か判断する（ステップＳ７）。
【００３３】
受信したコンテンツを出力する指示がない場合（ステップＳ７；Ｎ）、制御部３は、ＤＳＲＣ通信処理を終了する。
受信したコンテンツを出力する指示があった場合（ステップＳ７；Ｙ）、制御部３は、ステップＳ１で受信したコンテンツを音声又は画像により出力して（ステップＳ８）、ＤＳＲＣ通信処理を終了する。
【００３４】
図３を参照して、駐車場退場時の機器認証を伴うＤＳＲＣ通信処理について説明する。
退場時のＤＳＲＣ通信処理は、入場時のＤＳＲＣ処理と基本的に同様であるが一部異なる。
【００３５】
ステップＳ１１、Ｓ１２は、図２のステップＳ１、Ｓ２と同様である。
制御部３は、ＩＣクレジットカードによる決済を行うか否か判断する（ステップＳ１３）。
【００３６】
ＩＣクレジットカードで決済を行わない場合（ステップＳ１３；Ｎ）、制御部３は、退場時のＤＳＲＣ通信処理を終了する。
ＩＣクレジットカードで決済を行う場合（ステップＳ１３；Ｙ）、制御部３は、ＩＣクレジットカードの固有の情報を路側無線装置に送信して課金処理を行う（ステップＳ１４）。
ステップＳ１５は、図２のステップＳ４と同様である。制御部３は、ステップＳ１５の処理を行った後、退場時のＤＳＲＣ通信処理を終了する。
【００３７】
ステップＳ１６〜Ｓ１９は、図２のステップＳ５〜Ｓ８と同様である。
ただし一部異なり、ステップＳ１７で、例えば制御部３は「ＤＳＲＣ通信ができないため、ＤＳＲＣを利用したサービスがご利用になれません。駐車場料金は現金でお支払い下さい。」との音声又は画像の情報を出力する。
制御部３は、ステップＳ１８又はステップＳ１９の処理を行った後、退場時のＤＳＲＣ通信処理を終了する。
【００３８】
以上のように、本発明によれば、路側無線装置との機器認証が完了できない場合、少なくとも機器認証が完了できない旨の情報を音声又は画像により出力することができる。機器認証ができない場合であっても車載器１０が何らかのリアクションを行うため、ユーザの不安を解消し得る。
【００３９】
また、受信したコンテンツを出力するか否かの確認の情報を音声又は画像により出力することができる。機器認証を完了せずに受信したコンテンツは必ずしもユーザにとって不利益な情報ではなく、多くの場合は有益な情報である。ユーザの判断のもと、機器認証を完了せずに受信したコンテンツを視聴可能とすることで、利便性の向上を図ることができる。
【００４０】
また、機器認証を規定回数又は規定時間内に繰り返し行った後もなお、機器認証が完了しない場合に限り、機器認証を完了することができなかったと判断するとしてもよい。初回の機器認証は完了できなかったが、ＤＳＲＣ通信の環境の変化によって、２回目の機器認証は完了する場合もある。複数回の機器認証を行うことで機器認証の可否を適切に判断することができる。
【図面の簡単な説明】
【００４１】
【図１】車載器の構成を示す図である。
【図２】駐車場入場時のＤＳＲＣ通信を説明するフロー図である。
【図３】駐車場退場時のＤＳＲＣ通信を説明するフロー図である。
【符号の説明】
【００４２】
１０  車載器
１    カーナビ部
２    ＤＳＲＣ部
３    制御部
１ｅ  表示部
１ｇ  音声出力部
【図１】
2010107200.tif 000003
【図２】
2010107200.tif 000004
【図３】
2010107200.tif 000005